(57)【要約】【課題】軽量かつ気密性に富み後施工により既設窓を断熱窓とすることが可能な断熱障子構造および断熱二重窓構造を安価に提供すること。【解決手段】  二枚の引き違い障子２と、これを収める木製の枠体３と、により構成される断熱障子構造１であって、手前の障子枠１０１の右竪框１１１の奥の縁は右枠３０１に向かって先細りとなるように縁取りされ、右枠３０１にはこれに嵌合する右縦凹条３１１が、奥の障子枠２０１の左竪框２１１の手前の縁は左枠３０２に向かって先細りとなるように縁取りされ、左枠３０２にはこれに嵌合する左縦凹条３２１が設けられ、障子２を閉めるとき、中央に来る左竪框１１２と右竪框２１２とに互いを押し合う段１２０および段２２０を設け、これにより、障子２と枠体３とを密閉する断熱障子構造１である。障子紙に替えてプラスチック段ボールを用いる。【選択図】図３
2015001110.tif 000002
【特許請求の範囲】
【請求項１】
二枚の引き違い障子と、当該障子を収める木製の枠体と、により構成される断熱障子構造であって、
枠体は、左右の縦枠、鴨居および敷居により構成され、
それぞれの障子は、左右の竪框と上桟と下桟とによる木製の障子枠に、障子紙に替わってプラスチック段ボールが取り付けられて構成され、
枠体の鴨居および敷居には、障子の上桟と下桟とが嵌め込まれる平行な二本の凹条がそれぞれ形成され、
枠体の両面をそれぞれ外側、両面の中間の仮想面を内側とし、二枚の障子枠は、外側の面がともに面一に形成され、かつ、障子を閉める際に縦枠に突き当たる側の竪框はともに、竪框外側は直角に縁取りされ竪框内側は縦枠に向かって先細りとなるように斜めに面取りされており、左右の当該縦枠には当該竪框それぞれを嵌合して収容する凹条が設けられており、
障子を閉める際に縦枠に当接しない他方の竪框内側はともに、上下の嵌め込み部分をのぞき鴨居から敷居にわたるまで形成された段であって、障子を開ける方向に厚みが増して互いを外側に押す密な接触面が形成される段が設けられ、
障子を閉めると、中央の竪框が密接するとともに障子枠が各凹条に対して外側に押し当たって密着し、取り付け先の内外の空気を遮断することを特徴とする断熱障子構造。
【請求項２】
鴨居の二本の凹条の間に形成される突条の中心に、障子を閉めた際に前記段を介して障子枠を敷居側に押しつける、正面視において略台形形状の凸体を形成したことを特徴とする請求項１に記載の断熱障子構造。
【請求項３】
既設の窓の窓枠に請求項１または２に記載の断熱障子構造の枠体を取付け、窓と障子との間に空気層を形成可能にしたことを特徴とする断熱二重窓構造。
【発明の詳細な説明】
【技術分野】
【０００１】
本発明は、断熱障子構造および断熱二重窓構造に関し、特に、軽量かつ気密性に富み後施工により既設窓を断熱窓とすることが可能な断熱障子構造および断熱二重窓構造に関する。
【背景技術】
【０００２】
近年、環境志向が高まり、たとえば、冷暖房費の節約のため、新築家屋は特に二重ガラスの窓が設置される。
【０００３】
しかしながら、このような二重ガラスは非常に重く、強度を確保するために窓枠はアルミニウム合金からなるサッシが採用される。この場合、サッシの熱伝導率が高いため、枠部分から熱が出入りし、結露の発生など、必ずしも良好な断熱効果が得られないという問題点があった。
【０００４】
一方、既設の窓、たとえば木製枠の一枚ガラス窓に後施工によってもう一つ窓を設け、二重窓として断熱性を高めることもできる。しかしながら、この場合は、既設の窓の窓枠の強度不足から重たいサッシ窓を取り付けることができず、既設の窓枠自体を交換する必要があり、安価におこなえないという問題点があった。また、重たいサッシ窓でなく、既設の窓と同様の比較的軽い木製枠の一枚ガラス窓や障子を取り付けて二重窓とすることもできるが、断熱効果は結局のところ中途半端となってしまう、という問題点があった。
【先行技術文献】
【特許文献】
【０００５】
【特許文献１】特開平７−３１０４８２号公報
【特許文献２】特開平７−１８９５１号公報
【特許文献３】実開平７−２１９９３号公報
【特許文献４】実開昭５４−１７３５３３号公報
【発明の概要】
【発明が解決しようとする課題】
【０００６】
本発明は上記に鑑みてなされたものであって、軽量かつ気密性に富み後施工により既設窓を断熱窓とすることが可能な断熱障子構造および断熱二重窓構造を安価に提供することを目的とする。
【課題を解決するための手段】
【０００７】
請求項１に記載の断熱障子構造は、二枚の引き違い障子と、当該障子を収める木製の枠体と、により構成される断熱障子構造であって、枠体は、左右の縦枠、鴨居および敷居により構成され、それぞれの障子は、左右の竪框と上桟と下桟とによる木製の障子枠に、障子紙に替わってプラスチック段ボールが取り付けられて構成され、枠体の鴨居および敷居には、障子の上桟と下桟とが嵌め込まれる平行な二本の凹条がそれぞれ形成され、枠体の両面をそれぞれ外側、両面の中間の仮想面を内側とし、二枚の障子枠は、外側の面がともに面一に形成され、かつ、障子を閉める際に縦枠に突き当たる側の竪框はともに、竪框外側は直角に縁取りされ竪框内側は縦枠に向かって先細りとなるように斜めに面取りされており、左右の当該縦枠には当該竪框それぞれを嵌合して収容する凹条が設けられており、障子を閉める際に縦枠に当接しない他方の竪框内側はともに、上下の嵌め込み部分をのぞき鴨居から敷居にわたるまで形成された段であって、障子を開ける方向に厚みが増して互いを外側に押す密な接触面が形成される段が設けられ、障子を閉めると、中央の竪框が密接するとともに障子枠が各凹条に対して外側に押し当たって密着し、取り付け先の内外の空気を遮断することを特徴とする。
【０００８】
すなわち、請求項１にかかる発明は、全体が断熱性の高い軽量素材により構成され、障子を閉じた際に、障子枠が重なり部分で押し合って他方を枠体に密着させ、気密性を高める。また、プラスチック段ボール以外、木を用いるため調湿性を有し、結露も効果的に抑制する。
【０００９】
プラスチック段ボールの障子枠への取付け態様は、たとえば、嵌め込み、接着などを挙げることができ、障子の開閉に干渉せず、障子枠との間で隙間がないように取り付けられていれば特に限定されない。枠体の両面とは、障子を閉めたときに表面（部屋側）、裏面（室外側）と概念できるように、厚みのある枠体の手前側に見える縁により概念できる面と奥側に同様に概念できる面をいう。
【００１０】
二枚の障子枠は、外側の面がともに面一に形成される、とは、外側の面が総てフラットに形成されている、いわゆるまるはめ態様の他、肩がついている場合であっても、各凹条に収まる部分が同一平面内にある態様であれば特に限定されない。竪框外側は直角に縁取りされ竪框内側は縦枠に向かって先細りとなるように斜めに面取りされている、とは、縦框の断面が長方形の一角の切り取られた五角形形状であることをいう。上下の嵌め込み部分とは、鴨居および敷居に設けられた凹条に嵌め込まれる部分をいう。
【００１１】
段は必ずしも直線的に肉厚となる必要はなく、障子枠の押しつけないし密着を円滑におこなうため当接開始部分には適宜曲率が設けられていてもよい。段部分の断面は略くさび形状である。取り付け先とは、単独で用いる場合は枠体を設置する壁、二重窓にするときは、既設の窓枠などをいう。
【００１２】
なお、引き違い障子は二枚でなく、４枚構成のものもある。すなわち、枠体の敷居と鴨居にはそれぞれ二本の凹条があり、奥、手前、手前、奥、または、手前、奥、奥、手前、の４枚構成の引き違い障子も存在する。この場合も、左端および右端の障子について、左右の縦枠に嵌合する竪框、および、段を設け、真ん中の二枚と突き合わせを適宜嵌合構成として、気密性を確保でき、この態様も請求項１に該当するものとする。
【００１３】
請求項２に記載の断熱障子構造は、請求項１に記載の断熱障子構造において、鴨居の二本の凹条の間に形成される突条の中心に、障子を閉めた際に前記段を介して障子枠を敷居側に押しつける、正面視において略台形形状の凸体を形成したことを特徴とする。
【００１４】
すなわち、請求項２にかかる発明は、障子を枠体に差し込む際に必要な遊び部分に由来する、段と鴨居の二本の凹条間に形成される突条との間の僅かな空隙をも塞ぎ、気密性を更に向上させることができる。
【００１５】
正面視とは、障子面をみる方向に、という意味である。なお、凸体の厚みは、二本の凹条間に形成される突条の幅とする。略台形形状とは、部分円形（かまぼこ形）状も含み、段を次第に押し下げて、障子枠を敷居に押しつけるのであれば特に限定されない。また、突条の中心とは、障子を閉めたときに重なりを形成する竪框の上部の位置をいう。
【００１６】
請求項３に記載の断熱二重窓構造は、既設の窓の窓枠に請求項１または２に記載の断熱障子構造の枠体を取付け、窓と障子との間に空気層を形成可能にしたことを特徴とする。
【００１７】
すなわち、請求項３にかかる発明は、軽量部材により形成される断熱障子構造により、簡便に二重窓を後施工により安価に構築することができる。
【発明の効果】
【００１８】
本発明によれば、軽量かつ気密性に富み後施工により既設窓を断熱窓とすることが可能な断熱障子構造および断熱二重窓構造を安価に提供することができる。
【図面の簡単な説明】
【００１９】
【図１】図１は、枠体および各構成の断面を示した概念図である。このうち、図１（ａ）は、正面図を、図１（ｂ）は、左枠断面図および右枠断面図を、図１（ｃ）は、鴨居の中央部分の断面図（右）と中央でない場所の断面図（左）、および、敷居断面図をそれぞれ示している。
【図２】図２は、障子の概要図およびプラダンの斜視概念図である。このうち、図２（ａ）は、正面図を、図２（ｂ）は、上面図を、図２（ｃ）は、背面図を、図２（ｄ）はプラダンの斜視概念図をそれぞれ示している。
【図３】図３は、断熱二重窓構造を既設のガラス窓に取り付けた概念図および、鴨居中央の断面図をそれぞれ示している。図３（ａ）は、鴨居を取り外した状態の上面図であり、既設のガラス窓は概念的に描画している。また、矢印は、密閉の際の力のかかり方を概念的に示したものである。
【図４】肩つきの障子の圧着の様子を示した構成例である。
【発明を実施するための形態】
【００２０】
以下、本発明の実施の形態を図面を参照しながら詳細に説明する。
図１は、枠体および各構成の断面を示した概念図である。図２は、障子の概要図およびプラダンの斜視概念図である。図３は、断熱二重窓構造を既設のガラス窓に取り付けた概念図および、鴨居中央の断面図をそれぞれ示している。なお、各構成はそれぞれ説明の便宜上縮尺を適宜異ならせて描画している。
【００２１】
断熱障子構造１は、障子２と、障子を嵌め込む枠体３と、により構成される。障子２は、二枚の引き違い障子であって、本実施の形態では、右に閉める手前の障子を障子１００、左に閉める奥の障子を障子２００としてこれらにより引き違い障子が形成されるものとする。
【００２２】
障子１００は、障子枠１０１と、障子枠１０１に隙間なく嵌め込まれたプラスチック段ボール（以降プラダンと適宜称することとする）１０２とにより構成され、障子２００は、障子枠２０１と、障子枠２０１に隙間なく嵌め込まれたプラダン２０２とにより構成される。障子枠１０１および障子枠２０１は、ともに木製であり、ここでは杉材によって形成される。
【００２３】
プラダン１０２およびプラダン２０２は、厚み約５ｍｍの白色半透明ポリプロピレン製であり、内部に平行な仕切が形成され、ちょうど５ｍｍ角の角筒が筒軸に垂直な方向へ接合されたような形状となった素材である。内部に多数の独立した空気層が形成され断熱効果が高い。また、半透明であるので障子紙と同様の採光性を有し、従来型の障子が採用されていた場所でも違和感なく置き換えることができる。
【００２４】
障子枠１０１は、右竪框１１１と、左竪框１１２と、上桟１１３と、下桟１１４とからなり、手前の面は面一となっている。プラダン１０２は、障子枠１０１の厚みの略中間部分に隙間なく嵌め込まれ、障子枠１０１と一体となっている（図２ａ、ｂ）。
【００２５】
同様に障子枠２０１は、左竪框２１１と、右竪框２１２と、上桟２１３と、下桟２１４とからなり、奥の面は面一となっている。プラダン２０２は、障子枠２０１の厚みの略中間部分に隙間なく嵌め込まれ、障子枠２０１と一体となっている（図２ａ、ｂ）。
【００２６】
枠体３は、同じ厚みの、右枠３０１と、左枠３０２と、鴨居３０３と、敷居３０４とからなり、手前の面も奥の面も面一に形成される。換言すれば、枠体３は、高さの低い角筒形状となっている。枠体３は木製であり、ここでは杉材によって形成される（図１ａ）。
【００２７】
敷居３０４には、二本の平行な凹条３４１（手前）と凹条３４２（奥）が形成され、この凹条と対になるように、鴨居３０３には二本の平行な凹条３３１（手前）と凹条３３２（奥）が形成される（図１ｃ）。対となるこれらの凹条により引き違い障子が実現され、凹条３４１には下桟１１４が、凹条３４２には下桟２１４が嵌め込まれ、凹条３３１には上桟１１３が、凹条３３２には上桟２１３が嵌め込まれる。
【００２８】
また、右竪框１１１の手前の縁は通常の障子の竪框と同様に９０°の縁としている一方、奥の縁は右枠３０１に向かって先細りとなるように斜めに切り落とされた縁としている（図２ｂ）。そして、右枠３０１は、右竪框１１１を勘合させるべく、右縦凹条３１１が形成されている（図１ｂ）。この形状とすることにより、障子枠１０１を閉めると（右に詰めると）障子枠１０１は凹条３３１および凹条３４１を介して枠体３の手前側に密着し気密性を確保する（図３ａ）。
【００２９】
同様に、左竪框２１１の奥の縁は通常の障子の竪框と同様に９０°の縁としている一方、手前の縁は左枠３０２に向かって先細りとなるように斜めに切り落とされた縁としている（図２ｂ）。そして、左枠３０２は、左竪框２１１を勘合させるべく、左縦凹条３２１が形成されている（図１ｂ）。この形状とすることにより、障子枠２０１を閉めると（左に詰めると）障子枠２０１は凹条３３２および凹条３４２を介して枠体３の奥側に密着し気密性を確保する（図３ａ）。
【００３０】
加えて、障子２は、障子枠１０１および障子枠２０１の気密性（枠体３への密着性）を更に高めるべく、左竪框１１２と右竪框２１２が障子２を閉めるとき中央で重なり、互いを押し合う形状としている。
【００３１】
具体的には、左竪框１１２の奥側に鴨居３０３から敷居３０４にわたる段１２０が設けてあり、この段１２０は左枠３０２に向けて厚みが増すように形成されている。同様に右竪框２１２の手前側に鴨居３０３から敷居３０４にわたる段２２０が設けてあり、この段２２０は右枠３０１に向けて厚みが増すように形成されている。障子２を閉めると、左竪框１１２および右竪框２１２が枠体３の中央で重なり合うが、このとき、段１２０および段２２０が互いを押し合う。これにより、左竪框１１２と右竪框２１２は密着し、かつ、障子枠１０１は枠体３の手前側に密着し、障子枠２０１は枠体３の奥側に密着する。その結果、障子２と枠体３は、事実上隙間のない一枚ものとなる。
【００３２】
断熱障子構造１は、障子２も枠体３も熱伝導率が低い素材で形成されているので、全体が断熱面を形成する。
【００３３】
なお、障子２を枠体３に嵌め込む際、鴨居３０３の凹条３３１に障子枠１０１の上桟１１３を、鴨居３０３の凹条３３２に障子枠２０１の上桟２１３を、それぞれすくい上げて差し込む。このため、段１２０および段２２０は、鴨居３０３から敷居３０４までの長さより若干短くする必要があり、その結果、障子２を閉めたとき段１２０および段２２０と、鴨居３０３との間にこの長さ分の隙間が形成される。
【００３４】
そこで、断熱障子構造１では、この隙間も塞ぎ、気密性の一層の向上を図っている。具体的には次の通りである。鴨居３０３の凹条３３１と凹条３３２の間には、相対的に突条が形成されるが、この中央部分すなわち段１２０および段２２０の重なる部分の上部に台形状の凸３３３を設け、隙間を塞ぐようにしている。したがって、障子枠１０１が右に閉められると段１２０が凸３３３により押し下げられ、障子枠２０１が左に閉められると段２２０が凸３３３により押し下げられ、左竪框１１２および右竪框２１２は、鴨居３０３と敷居３０４と気密に一体化する。
【００３５】
断熱障子構造１は、以上の構成となるので、閉じたとき全体で気密な一体面を形成し、取り付け先の内外の空気の移動を遮断する。図３に示したように、既設のガラス窓に取り付けると間に空気層が形成され、熱移動が緩衝される結果、断熱二重窓構造を事実上構築できる。
【００３６】
特に断熱障子構造１は、軽量であるため、既設のガラス窓等の窓枠に負荷をかけることなく内窓等として取り付けることができる。また、単価の高いガラスやアルミサッシ枠を用いないため、材料費、施工費用も低廉に抑えることができる。また、障子１００および障子２００は、同型であるため、効率的かつ安価に生産することができる。
【００３７】
なお、断熱障子構造１は上記の態様に限定されない。以上の例では、障子の組子のない例を説明したが、組子は当然に設けられていてもよい。これにより、従来型の障子の雰囲気を演出することができる。一方、プラダンを白色半透明として障子紙に似せたが、プラダンの色を変えることにより、従来家屋と異なった意匠を演出するようにすることもできる。また、障子枠は、各部材が斜めに付き合わさって四隅を形成しているが、角柱４本によって構成されていてもよい。段についても、竪框に合着する態様であってもよく、また、一体的に削りだしてもよい。また、説明した障子枠は、いわゆる、まるはめに分類される枠であるが、肩つきの障子枠でも当然に採用することができる。図４に、肩付きおよび組子の設けられた障子枠の構成例を示した。
【産業上の利用可能性】
【００３８】
本発明により、軽量かつ気密性に富み後施工により既設窓を断熱窓とすることが可能な断熱障子構造および断熱二重窓構造を安価に提供することができる。
【符号の説明】
【００３９】
１        断熱障子構造
２        障子
３        枠体
１００  障子（手前）
１０１  障子枠
１０２  プラダン
１１１  右竪框
１１２  左竪框
１１３  上桟
１１４  下桟
１２０  段
２００  障子（奥）
２０１  障子枠
２０２  プラダン
２１１  左竪框
２１２  右竪框
２１３  上桟
２１４  下桟
２２０  段
３０１  右枠
３０２  左枠
３０３  鴨居
３０４  敷居
３１１  右縦凹条
３２１  左縦凹条
３３１  凹条（鴨居３０３の手前）
３３２  凹条（鴨居３０３の奥）
３３３  凸
３４１  凹条（敷居３０４の手前）
３４２  凹条（敷居３０４の奥）
【図１】
2015001110.tif 000003
【図２】
2015001110.tif 000004
【図３】
2015001110.tif 000005
【図４】
2015001110.tif 000006